(57)【要約】【課題】空調エリア内における温度分布の偏りを緩和させる。【解決手段】ＶＡＶ５から支管８への調和空気の供給路Ｌに、支管８への調和空気の送り込み先を切り替える切替装置９を設置し、この切替装置９の切替状態を制御装置１０によって制御する。切替装置９を第１の切替状態とすると、支管８の第１の管路口８ａが調和空気の送り込み先とされるとともに第２の管路口８ｂが塞がれ、切替装置９を第２の切替状態とすると、支管８の第２の管路口８ｂが調和空気の送り込み先とされるとともに第１の管路口８ａが塞がれる。これにより、例えば周期的に、支管８を流れる調和空気の送風方向を切り替えるようにして、ＶＡＶ５から吹出口７までの配管経路の遠近を入れ替え、吹出口７から吹き出される調和空気の全体的な風量のバランスを取るようにして、空調エリア４内における温度分布の偏りを緩和させることができるようになる。【選択図】  図１
2020016362.tif 000002
【特許請求の範囲】
【請求項１】
空調機から供給される調和空気の風量を調整する可変風量装置と、この可変風量装置によって風量が調整された調和空気が送り込まれる支管と、この支管を通して送られてくる調和空気を空調エリアに吹き出す複数の吹出口とを備えた可変風量システムにおいて、
前記可変風量装置から前記支管への調和空気の供給路に設けられ、前記支管への前記調和空気の送り込み先を切り替えるように構成された切替装置を備え、
前記支管は、
前記切替装置によって切り替えられる前記調和空気の送り込み先とされる第１の管路口と第２の管路口とを備え、
前記複数の吹出口は、
前記支管の前記第１の管路口と前記第２の管路口とを結ぶ配管経路の途中から引き出される調和空気を吹き出し、
前記切替装置は、
第１の切替状態とされた場合、前記第１の管路口を前記調和空気の送り込み先とするとともに前記第２の管路口を塞ぎ、
第２の切替状態とされた場合、前記第２の管路口を前記調和空気の送り込み先とするとともに前記第１の管路口を塞ぐ
ことを特徴とする可変風量システム。
【請求項２】
請求項１に記載された可変風量システムにおいて、
前記配管経路は、
ループ状の配管経路とされ、
前記第１の管路口および前記第２の管路口は、
前記切替装置内に設けられている
ことを特徴とする可変風量システム。
【請求項３】
請求項１又は２に記載された可変風量システムにおいて、
前記切替装置の切替状態を制御するように構成された制御装置を備える
ことを特徴とする可変風量システム。
【請求項４】
請求項３に記載された可変風量システムにおいて、
前記制御装置は、
前記切替装置の切替状態を前記第１の切替状態から前記第２の切替状態へ、前記第２の切替状態から前記第１の切替状態へと、周期的に切り替える
ことを特徴とする可変風量システム。
【請求項５】
請求項３に記載された可変風量システムにおいて、
前記制御装置は、
前記空調エリア内の温度分布を計測し、前記空調エリア内での温度差が無くなるように、前記切替装置の切替状態を制御する
ことを特徴とする可変風量システム。
【請求項６】
請求項３に記載された可変風量システムにおいて、
前記制御装置は、
前記空調エリアの出入口の近くへの前記調和空気の供給量が多くなるように前記切替装置の切替状態を制御する
ことを特徴とする可変風量システム。
【請求項７】
請求項１〜６の何れか１項に記載された可変風量システムにおいて、
前記切替装置は、
第１の弁と第２の弁とを備え、
前記第１の切替状態とされた場合、前記第１の弁を開くことによって前記第１の管路口を前記調和空気の送り込み先とし、前記第２の弁を閉じることによって前記第２の管路口を塞ぎ、
前記第２の切替状態とされた場合、前記第２の弁を開くことによって前記第２の管路口を前記調和空気の送り込み先とし、前記第１の弁を閉じることによって前記第１の管路口を塞ぐ
ことを特徴とする可変風量システム。
【請求項８】
請求項１〜６の何れか１項に記載された可変風量システムにおいて、
前記切替装置は、
唯一の弁を備え、
前記第１の切替状態とされた場合、前記弁を第１の角度位置に位置させることによって、前記第１の管路口を前記調和空気の送り込み先とするとともに前記第２の管路口を塞ぎ、
前記第２の切替状態とされた場合、前記弁を第２の角度位置に位置させることによって、前記第２の管路口を前記調和空気の送り込み先とするとともに前記第１の管路口を塞ぐ
ことを特徴とする可変風量システム。
【発明の詳細な説明】
【技術分野】
【０００１】
本発明は、空調機から供給される調和空気の風量を調整する可変風量装置を用いた可変風量システムに関する。  
【背景技術】
【０００２】
従来より、大規模な構築物などでは、空調機からの調和空気の供給路に可変風量装置を設置し、この可変風量装置（以下、ＶＡＶと呼ぶ。）によって空調エリアへの調和空気の風量を調整するようにしている（例えば、特許文献１参照）。
【０００３】
図９に、ＶＡＶを用いた従来の可変風量システム２００の要部の構成を示す。この可変風量システム２００において、空調機１からの調和空気は、主管２から枝分かれした分岐路３を通して空調エリア４へ供給される。分岐路３には、ＶＡＶ５が設置されており、このＶＡＶ５によって空調エリア４への調和空気の風量が調整される。
【０００４】
この可変風量システム２００において、空調エリア４には、ＶＡＶ５からの調和空気が送り込まれる支管６と、支管６を通して送られてくる調和空気を吹き出す複数の吹出口７が設置されている。
【０００５】
なお、空調エリア４は、ＶＡＶ５が設置されている分岐路３毎に存在するが、図９にはＶＡＶ５−１が設置されている分岐路３−１に対する空調エリア４−１を代表して示している。また、空調エリア４−１において、支管６（６−１）は２つに枝分かれしており、この枝分かれした支管６ａ，６ｂに対して吹出口７が設けられている。
【先行技術文献】
【特許文献】
【０００６】
【特許文献１】特開平６−３１３５８１号公報
【特許文献２】特開２０１４−００１８９２号公報
【発明の概要】
【発明が解決しようとする課題】
【０００７】
しかしながら、このような可変風量システム２００では、ＶＡＶ５から吹出口７までの配管経路の遠近によって、吹出口７から吹き出される調和空気の風量に差ができる。すなわち、ＶＡＶ５に近い吹出口７では、吹き出される調和空気の風量が小となり、ＶＡＶ５から遠い吹出口７では、吹き出される調和空気の風量が大となる。このため、空調エリア４内における温度分布に偏りができ、快適性が損なわれるという問題があった。
【０００８】
なお、特許文献２には、空調エリアにループダクトを配設し、空調機からの調和空気をループダクトに送り込み、ループダクトに設けられたノズルから吹き出された調和空気を還気口を通して空調機に戻すようにした空調システムが示されている。
【０００９】
この特許文献２に示された空調システムでは、空調機が還気を処理する機能を有しているので、空調エリア内の配管経路をループ型とすることができている。しかし、ＶＡＶは還気を処理する機能を有していないので、そのまま特許文献２に示された技術を適用することはできない。
【００１０】
本発明は、このような課題を解決するためになされたもので、その目的とするところは、空調エリア内における温度分布の偏りを緩和させることが可能な可変風量システムを提供することにある。
【課題を解決するための手段】
【００１１】
このような目的を達成するために本発明は、空調機（１）から供給される調和空気の風量を調整する可変風量装置（５）と、この可変風量装置によって風量が調整された調和空気が送り込まれる支管（８）と、この支管を通して送られてくる調和空気を空調エリア（４）に吹き出す複数の吹出口（７）とを備えた可変風量システム（１００）において、可変風量装置から支管への調和空気の供給路（Ｌ）に設けられ、支管への調和空気の送り込み先を切り替えるように構成された切替装置（９）を備え、支管（８）は、切替装置によって切り替えられる調和空気の送り込み先とされる第１の管路口（８ａ）と第２の管路口（８ｂ）とを備え、複数の吹出口（７）は、支管の第１の管路口と第２の管路口とを結ぶ配管経路の途中から引き出される調和空気を吹き出し、切替装置（９）は、第１の切替状態とされた場合、第１の管路口を調和空気の送り込み先とするとともに第２の管路口を塞ぎ、第２の切替状態とされた場合、第２の管路口を調和空気の送り込み先とするとともに第１の管路口を塞ぐことを特徴とする。
【００１２】
本発明において、可変風量装置から支管への調和空気の供給路には、支管への調和空気の送り込み先を切り替える切替装置が設置されている。また、支管は第１の管路口と第２の管路口とを有し、この第１の管路口と第２の管路口とを結ぶ配管経路の途中から引き出される調和空気が、複数の吹出口から空調エリアへ吹き出される
【００１３】
本発明において、切替装置を第１の切替状態とすると、支管の第１の管路口が調和空気の送り込み先とされるとともに第２の管路口が塞がれ、切替装置を第２の切替状態とすると、支管の第２の管路口が調和空気の送り込み先とされるとともに第１の管路口が塞がれる。
【００１４】
これにより、本発明では、例えば周期的に、支管を流れる調和空気の送風方向を切り替えるようにして、可変風量装置から吹出口までの配管経路の遠近を入れ替え、吹出口から吹き出される調和空気の全体的な風量のバランスを取るようにして、空調エリア内における温度分布の偏りを緩和させることが可能となる。
【００１５】
なお、上記説明では、一例として、発明の構成要素に対応する図面上の構成要素を、括弧を付した参照符号によって示している。
【発明の効果】
【００１６】
以上説明したように、本発明によれば、可変風量装置から支管への調和空気の供給路に切替装置を設け、調和空気が送り込まれる支管を第１の管路口と第２の管路口とを有するものとし、切替装置を第１の切替状態とした場合、支管の第１の管路口を調和空気の送り込み先とするとともに第２の管路口を塞ぎ、切替装置を第２の切替状態とした場合、支管の第２の管路口を調和空気の送り込み先とするとともに第１の管路口を塞ぐようにしたので、例えば周期的に、支管を流れる調和空気の送風方向を切り替えるようにして、可変風量装置から吹出口までの配管経路の遠近を入れ替え、吹出口から吹き出される調和空気の全体的な風量のバランスを取るようにして、空調エリア内における温度分布の偏りを緩和させることが可能となる。
【図面の簡単な説明】
【００１７】
【図１】図１は、本発明の実施の形態１に係る可変風量システムの要部の構成を示す図である。
【図２】図２は、この可変風量システムにおける切替装置の切替状態を第１の切替状態とした時の調和空気の流れを示す図である。
【図３】図３は、この可変風量システムにおける切替装置の切替状態を第２の切替状態とした時の調和空気の流れを示す図である。
【図４】図４は、この可変風量システムにおける切替装置の具体例１を示す図である。
【図５】図５は、この可変風量システムにおける切替装置の具体例２を示す図である。
【図６】図６は、本発明の実施の形態２に係る可変風量システムの要部の構成を示す図である。
【図７】図７は、本発明の実施の形態３に係る可変風量システムの要部の構成を示す図である。
【図８】図８は、支管のループ状の配管経路を波形とした例を示す図である。
【図９】図９は、ＶＡＶを用いた従来の可変風量システムの要部の構成を示す図である。
【発明を実施するための形態】
【００１８】
以下、本発明の実施の形態を図面に基づいて詳細に説明する。
〔実施の形態１〕
図１は、本発明の実施の形態１に係る可変風量システム１００（１００Ａ）の要部の構成を示す図である。同図において、図９と同一符号は図９を参照して説明した構成要素と同一或いは同等の構成要素を示し、その説明は省略する。
【００１９】
この可変風量システム１００Ａでは、空調エリア４に１本の支管８を引き回して設置し、この支管８の第１の管路口（一方の開口端）８ａと第２の管路口（他方の開口端）８ｂとを結ぶ配管経路をループ状（矩形）としている。
【００２０】
また、この可変風量システム１００Ａにおいて、空調エリア４内の複数の吹出口７は、第１の管路口８ａから第２の管路口８ｂへ向かう方向を順方向とした場合、この順方向に沿って、吹出口７−１，７−２、吹出口７−３，７−４、吹出口７−５，７−６、吹出口７−７，７−８の順で設けられている。
【００２１】
また、この可変風量システム１００Ａでは、ＶＡＶ５からの支管８への調和空気の供給路Ｌに支管８への調和空気の送り込み先を切り替える切替装置９を設け、この切替装置９内に支管８の第１の管路口８ａと第２の管路口８ｂとを設けている。
【００２２】
なお、この切替装置９は、ＶＡＶ５からの支管８への調和空気の供給路Ｌ毎に設けられているが、図１にはＶＡＶ５−１からの支管８−１への調和空気の供給路Ｌ１に設けられている切替装置９−１のみを示している。
【００２３】
また、この可変風量システム１００Ａでは、切替装置９に対して、この切替装置９の切替状態を第１の切替状態から第２の切替状態へ、第２の切替状態から第１の切替状態へと、周期的（例えば、３０分毎）に切り替える制御装置１０（１０Ａ）を設けている。
【００２４】
〔第１の切替状態〕
切替装置９は、第１の切替状態とされた場合、支管８の第１の管路口８ａをＶＡＶ５からの調和空気の送り込み先とするとともに、支管８の第２の管路口８ｂを塞ぐ（図２参照）。
【００２５】
これにより、ＶＡＶ５からの調和空気が支管８の第１の管路口８ａへ送り込まれ、支管８の配管経路を第１の管路口８ａから第２の管路口８ｂに向かって流れる。
【００２６】
この場合、ＶＡＶ５から吹出口７までの配管経路は、吹出口７−１，７−２、吹出口７−３，７−４、吹出口７−５，７−６、吹出口７−７，７−８の順で遠くなる。
【００２７】
すなわち、ＶＡＶ５に近い吹出口７−１，７−２では、吹き出される調和空気の風量が小となり、ＶＡＶ５から遠い吹出口７−７，７−８では、吹き出される調和空気の風量が大となる。
【００２８】
〔第２の切替状態〕
切替装置９は、第２の切替状態とされた場合、支管８の第２の管路口８ｂをＶＡＶ５からの調和空気の送り込み先とするとともに、支管８の第１の管路口８ａを塞ぐ（図３参照）。
【００２９】
これにより、ＶＡＶ５からの調和空気が支管８の第２の管路口８ｂへ送り込まれ、支管８の配管経路を第２の管路口８ｂから第１の管路口８ａに向かって流れる。
【００３０】
この場合、ＶＡＶ５から吹出口７までの配管経路は、吹出口７−７，７−８、吹出口７−５，７−６、吹出口７−３，７−４、吹出口７−１，７−２の順で遠くなる。
【００３１】
すなわち、ＶＡＶ５に近い吹出口７−７，７−８では、吹き出される調和空気の風量が小となり、ＶＡＶ５から遠い吹出口７−１，７−２では、吹き出される調和空気の風量が大となる。
【００３２】
このようにして、本実施の形態では、制御装置１０Ａによって切替装置９の切替状態を制御することによって、周期的に、支管８を流れる調和空気の送風方向が切り替えられ、ＶＡＶ５から吹出口７までの配管経路の遠近が入れ替えられるものとなる。これにより、吹出口７から吹き出される調和空気の全体的な風量のバランスが取られ、空調エリア４内における温度分布の偏りが緩和されるものとなる。
【００３３】
図４に、切替装置９の具体例１を示す。この切替装置９（９Ａ）では、第１の管路口８ａに対して第１の弁ＶＢ１を設け、第２の管路口８ｂに対して第２の弁ＶＢ２を設けている。
【００３４】
この切替装置９Ａでは、第１の切替状態とされた場合、図４（ａ）に示されるように、第１の弁ＶＢ１が開かれ、第２の弁ＶＢ２が閉じられる。これにより、第１の管路口８ａが調和空気の送り込み先とされ、第２の管路口８ｂが塞がれる。
【００３５】
また、この切替装置９Ａでは、第２の切替状態とされた場合、図４（ｂ）に示されるように、第２の弁ＶＢ２が開かれ、第１の弁ＶＢ１が閉じられる。これにより、第２の管路口８ｂが調和空気の送り込み先とされ、第１の管路口８ａが塞がれる。
【００３６】
図５に、切替装置９の具体例２を示す。この切替装置９（９Ｂ）では、第１の管路口８ａと第２の管路口８ｂとにつながる連通路９１に唯一の弁ＶＢ０を設けている。
【００３７】
この切替装置９Ｂでは、第１の切替状態とされた場合、図５（ａ）に示されるように、弁ＶＢ０が第１の角度位置θ１に位置する。これにより、第１の管路口８ａが調和空気の送り込み先とされ、第２の管路口８ｂが塞がれる。
【００３８】
また、この切替装置９Ｂでは、第２の切替状態とされた場合、図５（ｂ）に示されるように、弁ＶＢ０が第２の角度位置θ２に位置する。これにより、第２の管路口８ｂが調和空気の送り込み先とされ、第１の管路口８ａが塞がれる。
【００３９】
〔実施の形態２〕
図６に、本発明の実施の形態２に係る可変風量システム１００（１００Ｂ）の要部の構成を示す。実施の形態１の可変風量システム１００Ａでは、制御装置１０（１０Ａ）によって、切替装置９の切替状態を周期的に切り替えるようにした。
【００４０】
これに対して、実施の形態２の可変風量システム１００Ｂでは、制御装置１０（１０Ｂ）によって、空調エリア４内の温度分布を計測し、空調エリア４内での温度差が無くなるように、切替装置９の切替状態を制御するようにする。すなわち、第１の切替状態および第２の切替状態の内、空調エリア４内での温度差を無くす方への切替状態に、切替装置９の切替状態を切り替えるようにする。
【００４１】
なお、図６において、空調エリア４内には複数の温度センサ１１が設置されており、制御装置１０Ｂは、これら温度センサ１１からの温度の検出値に基づいて空調エリア４内の温度分布を計測する。
【００４２】
〔実施の形態３〕
図７に、本発明の実施の形態３に係る可変風量システム１００（１００Ｃ）の要部の構成を示す。実施の形態３の可変風量システム１００Ｃでは、制御装置１０（１０Ｃ）によって、空調エリア４の出入口４１の近く（ドアの近く）への調和空気の供給量が多くなるように、切替装置９の切替状態を制御するようにする。
【００４３】
例えば、吹出口７−１が空調エリア４の出入口４１の近くにあるものとした場合、第２の管路口８ｂを調和空気の送り込み先とする時間（吹出口７−１からの調和空気の風量を大とする時間）を２０分、第１の管路口８ａを調和空気の送り込み先とする時間（吹出口７−１からの調和空気の風量を小とする時間）を１０分とするように、切替装置９の切替状態を制御する。
【００４４】
なお、上述した実施の形態では、空調エリア４における支管８のループ状の配管経路を矩形としているが、一筆書きで描かれる形であればよく、例えば図８に示すように波形としてもよい。
【００４５】
また、上述した実施の形態において、制御装置１０は、プロセッサや記憶装置からなるハードウェアと、これらのハードウェアと協働して各種機能を実現させるプログラムとによって実現される。
【００４６】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４７】
１…空調機、２…主管、３…分岐路、４…空調エリア、５…ＶＡＶ、７…吹出口、８…支管、８ａ…第１の管路口、８ｂ…第２の管路口、９…切替装置、１０…制御装置、１１…温度センサ、４１…出入口、１００…可変風量システム、Ｌ…供給路、ＶＢ０…弁、ＶＢ１…第１の弁、ＶＢ２…第２の弁。
【図１】
2020016362.tif 000003
【図２】
2020016362.tif 000004
【図３】
2020016362.tif 000005
【図４】
2020016362.tif 000006
【図５】
2020016362.tif 000007
【図６】
2020016362.tif 000008
【図７】
2020016362.tif 000009
【図８】
2020016362.tif 000010
【図９】
2020016362.tif 000011